(57)【要約】【課題】包装対象物が不用意に傾いて位置決め用凸部の上部に強く圧接するような事態を生じた場合であっても、包装対象物が損傷することを適切に防止し得る包装用トレイを提供する。【解決手段】包装対象物１を載せるための少なくとも１つの載置部３０を有するトレイ本体２を備えており、このトレイ本体２には、略水平状の水平壁部３４から上向きに突出した位置決め用凸部３１が設けられている、包装用トレイＴであって、水平壁部３４には、位置決め用凸部３１を上下方向に移動可能とするスリット４が設けられ、包装対象物１が傾いて位置決め用凸部３１の上部に圧接した際に位置決め用凸部３１が下降可能である。【選択図】  図４
2015123974.tif 000002
【特許請求の範囲】
【請求項１】
包装対象物を載せるための少なくとも１つの載置部を有するトレイ本体を備えており、
このトレイ本体には、前記載置部上に前記包装対象物が載せられたときに前記包装対象物の下方または側方に位置して前記包装対象物の位置決めを図ることが可能に、前記トレイ本体に略水平状に設けられた水平壁部から上向きに突出した位置決め用凸部が設けられている、包装用トレイであって、
前記水平壁部には、前記位置決め用凸部を上下動可能とするスリットが設けられており、前記包装対象物が傾いて前記位置決め用凸部の上部に圧接した際に前記位置決め用凸部が下降可能な構成とされていることを特徴とする、包装用トレイ。
【請求項２】
請求項１に記載の包装用トレイであって、
前記スリットは、上部よりも下部の方が前記位置決め用凸部に接近した位置となるように鉛直方向に対して傾斜した傾斜状スリットであり、
前記水平壁部のうち、前記傾斜状スリットの上側部分は、前記傾斜状スリットの下側部分上にオーバラップしている、包装用トレイ。
【請求項３】
請求項１または２に記載の包装用トレイであって、
平面視において、前記スリットは、前記位置決め用凸部から所定のｘ方向に離間し、かつｘ方向に対して交差するｙ方向に延びた第１のスリット部と、前記位置決め用凸部からｙ方向に離間し、かつｘ方向に延びた第２のスリット部とを有し、これら第１および第２のスリット部が繋がった構成とされている、包装用トレイ。
【請求項４】
請求項３に記載の包装用トレイであって、
前記スリットは、前記第１および第２のスリット部のそれぞれの一端部どうしが繋がった平面視略Ｌ字状であり、
前記位置決め用凸部の上面部は、各所の高さが不揃いとされて、前記上面部の一部は、他の部分よりも高さが高い頂部とされており、
平面視において、前記頂部は、前記第１および第２のスリット部のそれぞれの他端部どうしを結ぶ直線上に位置している、包装用トレイ。
【請求項５】
包装対象物と、
この包装対象物を載せて支持するための包装用トレイと、
を備えている、包装体であって、
前記包装用トレイとして、請求項１ないし４のいずれかに記載の包装用トレイが用いられていることを特徴とする、包装体。
【請求項６】
請求項５に記載の包装体であって、
前記包装対象物は、内部に所定の機器を収容した前面開口状のケース本体の前面部に、前面カバーがフランジ部を介して取り付けられた構造を有しており、
前記包装用トレイは、前記載置面と前記位置決め用凸部との間に上向き開口状の凹溝を形成した構成とされ、前記載置面上に包装対象物を載せた際には、前記フランジ部の下部を前記凹溝に進入させることが可能とされている、包装体。
【発明の詳細な説明】
【技術分野】
【０００１】
本発明は、たとえば給湯器やその他の機器類など、所望の包装対象物を保護したり、あるいは運搬時の便宜を図るといった目的で用いられる包装用トレイ、およびこの包装用トレイを用いた包装体に関する。
【背景技術】
【０００２】
給湯器の包装に用いられる包装用トレイの一例として、特許文献１，２に記載されたものがある。
これらの文献に記載された包装用トレイは、樹脂製などのトレイ本体に、給湯器を載置するための複数の載置部が設けられており、これら複数の載置部上に給湯器を起立姿勢で載せるようにしている。給湯器の上部には、カバー部材が適宜被せられ、このカバー部材、給湯器、および包装用トレイの全体は、たとえば熱収縮性フィルムを用いてシュリンク包装される。給湯器をトレイ本体上に載せておけば、給湯器の運搬時などにおいて、給湯器の下部を保護することが可能である。
【０００３】
給湯器をトレイ本体上に載置させる場合、この給湯器の位置決めを的確に図る必要がある。このため、従来においては、特許文献１の図５に示すような手段が採用されており、これを本願の図７（ａ）に示す。
同図に示す手段においては、包装用トレイＴａのうち、給湯器８が載せられる載置部７０から離間した位置に、位置決め用凸部７１が設けられ、それらの間には、上面開口状の凹溝７３が設けられている。給湯器８は、ケース本体８１とその前面部分に取り付けられた前面カバー８２とを有しており、ケース本体８１と前面カバー８２との接合に利用されている一対のフランジ部８３は、凹溝７３に進入している。このことにより、給湯器８が矢印Ｎ１で示す前方へ不当に移動することは規制される。
一方、位置決め用凸部７１は、スリット７１ａを有する中空状の凸部として形成されている。また、載置部７０に繋がった支持脚部７４には、スリット７４ａが設けられている。このような構成によれば、給湯器８に前後方向への押圧力が作用した際に、位置決め用凸部７１を前後方向に変形させること、および支持脚部７４を撓み変形させることによって、給湯器８のフランジ部８３と位置決め用凸部７１との圧接時の衝撃を吸収緩和し、フランジ部８３ならびに包装用トレイＴａの各部の破損を防止することが可能である。
【０００４】
しかしながら、前記従来技術においては、次に述べるように、未だ改善すべき余地があった。
【０００５】
すなわち、包装用トレイＴａ上に給湯器８の載せた包装体を取り扱う場合、誤ってこの包装体を落下させてしまい、この落下時に給湯器８が傾きを生じる場合がある。このような事態が生じると、図７（ｂ）に示すように、給湯器８の前面カバー８２の下部が、位置決め用凸部７１の上面部に強く圧接する。この圧接は、同図（ａ）に示したフランジ部８３の水平方向の衝突とは異なり、矢印Ｎ２で示すように、前面カバー８２の下部が位置決め用凸部７１に対してその上方または斜め上方から強く当接する現象である。したがって、位置決め用凸部７１は、スリット７１ａを有するものの、同図（ｂ）に示した態様の圧接に対しては、有効となる衝撃吸収作用を殆ど発揮しない。また、スリット７４ａが設けられている支持脚部７４も、前記した圧接に対して有効となる衝撃吸収作用を殆ど発揮しない。その結果、前記した圧接に起因して、前面カバー８２の下部に窪み傷が発生するといった虞があった。
【先行技術文献】
【特許文献】
【０００６】
【特許文献１】特許第４２７８６２３号公報
【特許文献２】特許第５２８８１９４号公報
【発明の概要】
【発明が解決しようとする課題】
【０００７】
本発明は、前記したような事情のもとで考え出されたものであり、包装対象物が不用意に傾いて位置決め用凸部の上部に強く圧接するような事態を生じた場合であっても、これに起因して包装対象物が損傷することを適切に防止することが可能な包装用トレイ、およびこれを用いた包装体を提供することを、その課題としている。
【課題を解決するための手段】
【０００８】
上記の課題を解決するため、本発明では、次の技術的手段を講じている。
【０００９】
本発明の第１の側面により提供される包装用トレイは、包装対象物を載せるための少なくとも１つの載置部を有するトレイ本体を備えており、このトレイ本体には、前記載置部上に前記包装対象物が載せられたときに前記包装対象物の下方または側方に位置して前記包装対象物の位置決めを図ることが可能に、前記トレイ本体に略水平状に設けられた水平壁部から上向きに突出した位置決め用凸部が設けられている、包装用トレイであって、前記水平壁部には、前記位置決め用凸部を上下動可能とするスリットが設けられており、前記包装対象物が傾いて前記位置決め用凸部の上部に圧接した際に前記位置決め用凸部が下降可能な構成とされていることを特徴としている。
【００１０】
このような構成によれば、次のような効果が得られる。
すなわち、包装対象物を包装用トレイ上に載せた状態で、これらを落下させるなどして包装対象物が傾き、位置決め用凸部の上部に強く圧接する事態を生じた際には、位置決め用凸部が下降し、前記圧接時の衝撃が効果的に吸収緩和される。したがって、本発明によれば、従来技術では防止することが困難であった包装対象物の傾きに起因する包装対象物の損傷を好適に防止することができる。
【００１１】
本発明において、好ましくは、前記スリットは、上部よりも下部の方が前記位置決め用凸部に接近した位置となるように鉛直方向に対して傾斜した傾斜状スリットであり、前記水平壁部のうち、前記傾斜状スリットの上側部分は、前記傾斜状スリットの下側部分上にオーバラップしている。
【００１２】
このような構成によれば、通常時においては、水平壁部のうち、傾斜状スリットの上側部分を下側部分に支持させた状態とし、水平壁部が弱い力で容易に下方へ変形しないようにすることができる。したがって、位置決め用凸部が大きな圧接力を受けていないにも拘わらず、本来の高さよりも大きく下降したままになるといったことを適切に回避することができる。一方、包装対象物が位置決め用凸部の上部に強く圧接した際には、水平壁部のうち、傾斜状スリットの上側部分が下側部分を下方に押し下げることとなるが、その際に前記下側部分は、前記の押し下げに対する適度な抵抗力を発生させる。したがって、衝撃吸収性をより優れたものとすることができる。
【００１３】
本発明において、好ましくは、平面視において、前記スリットは、前記位置決め用凸部から所定のｘ方向に離間し、かつｘ方向に対して交差するｙ方向に延びた第１のスリット部と、前記位置決め用凸部からｙ方向に離間し、かつｘ方向に延びた第２のスリット部とを有し、これら第１および第２のスリット部が繋がった構成とされている。
【００１４】
このような構成によれば、スリットを比較的小サイズに形成しながらも、位置決め用凸
部の上部に包装対象物が圧接した際に、この位置決め用凸部を適切に下降させることができる。水平壁部に設けられるスリットは、包装用トレイの全体の強度を確保する観点からすると、できる限り小サイズに形成することが好ましく、前記構成はそのような好ましい構成を実現することができる。
【００１５】
本発明において、好ましくは、前記スリットは、前記第１および第２のスリット部のそれぞれの一端部どうしが繋がった平面視略Ｌ字状であり、前記位置決め用凸部の上面部は、各所の高さが不揃いとされて、前記上面部の一部は、他の部分よりも高さが高い頂部とされており、平面視において、前記頂部は、前記第１および第２のスリット部のそれぞれの他端部どうしを結ぶ直線上に位置している。
【００１６】
このような構成によれば、次のような効果が得られる。
まず、前記構成とは異なり、たとえば位置決め用凸部の頂部が、平面視において第１および第２のスリット部のそれぞれの他端部どうしを結ぶ直線よりも内側（第１のスリット部に接近する側）に位置する場合には、位置決め用凸部が過度に下降し易くなる虞がある。また、これとは異なり、位置決め用凸部の頂部が、平面視において第１および第２のスリット部のそれぞれの他端部どうしを結ぶ直線よりも外側（第１スリット部から離間する側）に位置する場合には、位置決め用凸部を適切に下降させることが困難化する。本発明の前記した構成によれば、位置決め用凸部を適度な押し下げ力によって適切に下降するように設定することが容易に実現できる。
【００１７】
本発明の第２の側面により提供される包装体は、包装対象物と、この包装対象物を載せて支持するための包装用トレイと、を備えている、包装体であって、前記包装用トレイとして、本発明の第１の側面により提供される包装用トレイが用いられていることを特徴としている。
【００１８】
このような構成によれば、本発明の第１の側面により提供される包装用トレイについて前述したのと同様な効果が得られる。
【００１９】
本発明において、好ましくは、前記包装対象物は、内部に所定の機器を収容した前面開口状のケース本体の前面部に、前面カバーがフランジ部を介して取り付けられた構造を有しており、前記包装用トレイは、前記載置面と前記位置決め用凸部との間に上向き開口状の凹溝を形成した構成とされ、前記載置面上に包装対象物を載せた際には、前記フランジ部の下部を前記凹溝に進入させることが可能とされている。
【００２０】
このような構成によれば、包装対象物のフランジ部の下部を損傷させることなく、包装対象物の位置決めを好適に図ることができる。
【００２１】
本発明のその他の特徴および利点は、添付図面を参照して以下に行なう発明の実施の形態の説明から、より明らかになるであろう。
【図面の簡単な説明】
【００２２】
【図１】本発明に係る包装用トレイを用いた包装体の一例を示す斜視図である。
【図２】図１の分解斜視図である。
【図３】図１のIII−III断面図である。
【図４】図３に示す構造において包装対象物が傾いた際の状態を示す要部断面図である。
【図５】（ａ）は、図１に示す包装用トレイの平面図であり、（ｂ）は、（ａ）の要部拡大平面図であり、（ｃ）は、（ｂ）のVc−Vc断面図である。
【図６】本発明の他の例を示す要部平面図である。
【図７】（ａ）は、従来技術の一例を示す要部断面図であり、（ｂ）は、（ａ）に示す構造の作用説明図である。
【発明を実施するための形態】
【００２３】
以下、本発明の好ましい実施の形態について、図面を参照して具体的に説明する。
【００２４】
図１および図２に示す包装体Ａは、包装対象物としての給湯器１と、この給湯器１の下部を保護するための包装用トレイＴとを備えている。同図では、一部省略しているが、包装体Ａは、好ましくは、給湯器１の上部にカバー部材９が被せられた上で、このカバー部材９および包装用トレイＴには、これらを給湯器１に固定させるように梱包用のベルトが掛けられた状態とされる。さらには、カバー部材９、給湯器１、および包装用トレイＴの全体を熱収縮フィルムを用いて適宜包装（シュリンク包装）した状態とされる。このような包装形態は、特許文献１，２に記載されている包装体と同様である。
【００２５】
給湯器１は、金属製の外装ケース１０内に、バーナや熱交換器などの温水生成用の機器（図示略）が収容されたものであり、外装ケース１０は、前面が開口した略直方体状のケース本体１１に前面カバー１２が取り付けられて、外装ケース１０の前面開口部が塞がれた構成である。ケース本体１１への前面カバー１２の取り付けは、たとえばこれらに設けられている接合用の一対のフランジ部１３を互いに対面接触させてビス止めするといった手段により図られている。
【００２６】
図２および図５（ａ）において、包装用トレイＴは、ＰＥなどの樹脂製のトレイ本体２に、給湯器１を載せるための複数の載置部３０（３０Ａ〜３０Ｅ）、一対の位置決め用凸部３１、および一対のスリット４が設けられた構成を有している。トレイ本体２は、底壁部２０と、この底壁部２０の周縁部から上向きに起立した平面視略矩形枠状の側壁部２１を有する上面開口の箱状であり、側壁部２１には、把手用の開口部２２が適宜設けられている。
【００２７】
複数の載置部３０は、給湯器１のケース本体１１の下面部を載せることが可能な上向き面を有する部分であり、本実施形態では、たとえば計６箇所設けられている。トレイ本体２には、底壁部２０よりも高さが高い複数の凸状段部３（３Ａ〜３Ｅ）が一体成形されており、これら凸状段部３のそれぞれの一部分が載置部３０とされている。本実施形態では、凸状段部３およびその一部分である載置部３０の形状は、一対の凸状段部３（３Ａ）および載置部３０（３０Ａ）を除き、不揃いとされているが、複数の載置部３０のそれぞれの高さは略同一に揃えられている。凸状段部３Ｂ〜３Ｅは、載置部３０上に給湯器１を載せた際に、この給湯器１の側面に接触または接近することにより、給湯器１が位置ずれすることを防止するための位置決め用の起立状の壁部３２Ｂ〜３２Ｅを有している。
【００２８】
一対の載置部３０Ａのそれぞれは、トレイ本体２の前後幅方向（図で示すｘ方向）に幅を有し、かつトレイ本体２の左右幅方向（図面のｙ方向）に延びた平面視長矩形状の凸状部として形成されている。位置決め用凸部３１は、載置部３０Ａとはｘ方向に間隔を隔てるように設けられており、これら位置決め用凸部３１と載置部３０Ａとの間には、上面開口状の凹溝３３が形成されている。図３に示すように、給湯器１を包装用トレイＴ上に載せた際には、給湯器１のフランジ部１３の下部が凹溝３３に進入するように設定される。このことにより、位置決め用凸部３１は、給湯器１が前方（図３の右側）に不当に移動することを阻止する役割を果たす。
【００２９】
各スリット４は、位置決め用凸部３１を上下方向に移動可能とするための部位であり、凸状段部３Ａの水平壁部３４に平面視略Ｌ字状に設けられている。
この点をより具体的に説明すると、まず凸状段部３Ａは、トレイ本体２の側壁部２１か
らトレイ本体２の内側に略水平に突出した水平壁部３４を有しており、この水平壁部３４は位置決め凸部３１と繋がっている。スリット４は、水平壁部３４に設けられており、平面視において、位置決め用凸部３１からｘ方向に離間してｙ方向に延びた第１のスリット部４１と、位置決め用凸部３１からｙ方向に離間してｘ方向に延びた第２のスリット部４２とを有し、かつこれらの一端部どうしが繋がった略Ｌ字状である。
【００３０】
図３の部分拡大図に示すように、スリット４は、鉛直方向に対して適当な角度α（たとえば３０〜４５°程度）で傾斜した傾斜状スリットとして形成されており、スリット４の傾斜の向きは、スリット４の上部よりもスリット４の下部の方が位置決め用凸部３１に接近する向きとされている。水平壁部３４のうち、傾斜状スリット４の上側部分３４ａは、下側部分３４ｂ上にオーバラップしており、上側部分３４ａにやや弱めの下向きの力が加わった際には、上側部分３４ａが下側部分３４ｂに支持される一方、前記の力が大きくなった際には、上側部分３４ａが下側部分３４ｂを押し下げて下側部分３４ｂよりも下方に下降可能となっている。
【００３１】
図５（ｃ）に示すように、位置決め用凸部３１は、その上面部の各所の高さが一定にはされておらず、長手方向中心から適当な寸法Ｌａだけオフセットされた部分が、高さＨが最も高い頂部３１ａとされている。同図（ｂ）に示すように、位置決め用凸部３１の頂部３１ａは、平面視において、第１および第２のスリット部４１，４２のそれぞれの他端部どうしを結ぶ直線Ｌ上に位置している。
【００３２】
次に、前記した包装用トレイＴを備えた包装体Ａの作用について説明する。
【００３３】
まず、包装用トレイＴの複数の載置部３０上に給湯器１を載せた状態においては、給湯器１のケース本体１１の周囲に、起立状の壁部３２Ｂ〜３２Ｅが位置し、給湯器１の位置ずれが防止される。給湯器１のフランジ部１３の下部は、凹溝３３に進入した状態に設定される。このことにより、フランジ部１３に給湯器１の重量が作用しないようにすることできるとともに、フランジ部１３の位置が位置決め用凸部３１によって規制され、給湯器１が前方に位置ずれすることも適切に防止される。
【００３４】
包装体Ａの運搬時などにおいては、たとえば運搬者が誤って包装体Ａを落とし、図４に示すように、給湯器１が傾く場合がある。このような給湯器１の傾きを生じると、給湯器１の前面カバー１２の下部が、位置決め用凸部３１の上部に強く当接する。すると、水平壁部３４のうち、スリット４よりも位置決め用凸部３１側の領域は下降し、この下降作用によって給湯器１と位置決め用凸部３１との当接時の衝撃が効果的に吸収されて緩和される。したがって、給湯器１の前面カバー１２に窪み傷などを生じないようにすることができる。
【００３５】
スリット４は、既述したように、鉛直方向に対して傾斜した傾斜状スリットであり、通常時においては、水平壁部３４のうち、傾斜状スリット４の上側部分３４ａを下側部分３４ｂ上に支持されておくことができる。このため、水平壁部３４、ひいては載置部３０が給湯器１の重量によって、不当に下方へ大きく変形しないようにすることが可能である。スリット４は、平面視略Ｌ字状であって、小サイズである。このため、スリット４を設けたことに起因して凸状段部３Ａの剛性、ひいては載置部３０の支持強度が大きく低下しないようにする上で、より好ましいものとなる。一方、給湯器１が傾きを生じて位置決め用凸部３１の上部に強く当接した際には、傾斜状スリット４の上側部分３４ａが下側部分３４ｂを下方に押し下げて下降し、下側部分３４ｂよりもさらに下方へ下降することが可能である。したがって、衝撃吸収性をより優れたものとすることができる。
【００３６】
図５（ｂ），（ｃ）を参照して説明したように、位置決め用凸部３１の頂部３１ａは、
スリット４の第１および第２のスリット部４１，４２の他端部どうしを結ぶ直線Ｌ上に位置しているために、位置決め用凸部３１を適度な押し下げ力によって適切に下降するように設定することが容易となる。すなわち、本実施形態とは異なり、頂部３１ａが直線Ｌよりも第１のスリット部４１側（図５（ｂ）において直線Ｌよりも右側）の位置に存在する場合には、頂部３１ａに給湯器１が当たった際に、位置決め用凸部３１が過度に下降し易くなる虞がある。これとは反対に、頂部３１ａが直線Ｌよりも第１のスリット部４１とは反対側（図５（ｂ）において直線Ｌよりも左側）の位置に存在する場合には、位置決め用凸部３１を適切に下降させることが困難化する。これに対し、本実施形態によれば、前記したような不具合を適切に解消することができる利点が得られる。
【００３７】
図６は、本発明の他の実施形態を示している。同図において、前記実施形態と同一または類似の要素には、前記実施形態と同一の符号を付している。
【００３８】
図６に示す実施形態において、スリット４は、平面視略コ字状に形成されており、１つの第１のスリット部４１と、その両端に繋がった一対の第２のスリット部４２とを有している。このようなスリット４を設けた場合においても、本発明が意図する作用を得ることが可能である。むろん、本発明でいうスリットは、平面視略コ字状やＬ字状のものに限らず、これ以外の形状に形成することが可能である。
【００３９】
本発明は、上述した実施形態の内容に限定されない。本発明に係る包装用トレイ、および包装体の各部の具体的な構成は、本発明の意図する範囲内において種々に設計変更自在である。
【００４０】
包装対象物は、給湯器に限らず、他の温水機器や、温水機器以外の各種の装置・機器および物品類を包装対象物とすることができる。したがって、包装用トレイの具体的な形状、サイズ、材質も限定されない。
本発明は、包装対象物が位置決め用凸部に当接する際の衝撃を緩和し、包装対象物の保護を図ることを目的するものであり、包装用トレイに少なくとも１つの位置決め用凸部が設けられていれば、本発明を適用することできる。スリットの形状を種々に変更できることは既に述べたとおりであるが、本発明においては、鉛直方向に対して傾斜した傾斜状スリットに代えて、水平壁部を略鉛直方向に貫通する非傾斜状のスリットを設けた構成とすることもできる。
【符号の説明】
【００４１】
Ａ  包装体
Ｔ  包装用トレイ
Ｌ  直線
１  給湯器（包装対象物）
１０  外装ケース（給湯器の）
１１  ケース本体（外装ケースの）
１２  前面カバー（外装ケースの）
１３  フランジ部
２  トレイ本体
３（３Ａ〜３Ｅ）  凸状段部
３０（３０Ａ〜３０Ｅ）  載置部
３１  位置決め用凸部
３１ａ  頂部（位置決め用凸部の）
３４  水平壁部
３４ａ  上側部分
３４ｂ  下側部分
４  スリット
４１  第１のスリット部
４２  第２のスリット部
【図１】
2015123974.tif 000003
【図２】
2015123974.tif 000004
【図３】
2015123974.tif 000005
【図４】
2015123974.tif 000006
【図５】
2015123974.tif 000007
【図６】
2015123974.tif 000008
【図７】
2015123974.tif 000009